(57)【特許請求の範囲】
【請求項１】
前面に設けられた押釦ハンドルが後方へ押し込まれると押釦ハンドルの押し込み動作に伴って反転ハンドルを反転回動させ、反転ハンドルの反転回動に応じて接点部の切り換えを行なう押釦スイッチと、押釦スイッチの前面に一端部が回動自在に枢支され他端部を押操作することにより押釦ハンドルをピアノタッチ操作で押圧するピアノハンドルと、壁面のような造営面に配設され押釦スイッチが取り付けられる取付窓を有する取付枠とを備え、押釦スイッチの器体の短幅方向の寸法を取付枠の取付窓の長手方向寸法の略３分の１として取付窓の長手方向に沿った上中下の各取付位置に押釦スイッチを取付可能として成り、取付窓の長手方向に沿ってピアノハンドルに摺動自在に設けられて接点部の切換状態を表示する表示体と、表示体の摺動方向に沿って設けられそれぞれ押釦スイッチの前面と対向する背面側に表示体の摺動方向に沿って前後方向に傾斜した操作面を有する３つの操作片と、反転ハンドルに形成され反転ハンドルの一方向の回動に伴って前方へ移動する先端部で操作片の操作面に押圧力を付与して表示体を一方向に摺動するとともに反転ハンドルの他方向への回動に伴って先端部が後方へ移動する駆動片と、各操作片間に設けられ表示体が一方向に摺動した際に駆動片の先端部が係止されて表示体をロックするロック手段と、反転ハンドルの他方向の回動に伴って駆動片の先端部が後方へ移動することによりロック手段によるロックが解除された状態で表示体を他方向に摺動して初期位置に復帰させる復帰手段とを具備し、取付窓の上中下の各取付位置に取り付けられる３個の押釦スイッチに対し３個並べて取り付けたときに取付窓を覆うことのできる寸法であって上下方向の長さを押釦スイッチの上下方向の長さよりも長くした寸法にピアノハンドルが形成され、取付窓の上取付位置に取り付けられた押釦スイッチの駆動片の先端部が取付窓の上部に位置するピアノハンドルに設けられた表示体の３つの操作片のうちで取付窓の長手方向に沿った下側の操作片の操作面と対向し、取付窓の中取付位置に取り付けられた押釦スイッチの駆動片の先端部が取付窓の中央部に位置するピアノハンドルに設けられた表示体の３つの操作片のうちで取付窓の長手方向に沿った中央の操作片の操作面と対向し、取付窓の下取付位置に取り付けられた押釦スイッチの駆動片の先端部が取付窓の下部に位置するピアノハンドルに設けられた表示体の３つの操作片のうちで取付窓の長手方向に沿った上側の操作片の操作面と対向して成ることを特徴とするピアノハンドル式スイッチ。
【請求項２】
表示体の背面側に設けられる凹溝からなり、ピアノハンドルの押操作時に駆動片の先端部が入り込む逃がし部を表示体に設けて成ることを特徴とする請求項１記載のピアノハンドル式スイッチ。
【請求項３】
押釦スイッチの器体に押釦スイッチの位置又は接点部の切換状態を発光表示するための発光手段を納装するとともにこの発光手段の光をピアノハンドル側の前面から外部へ導くための透光窓を器体前面の長手方向における中央寄りに設け、ピアノハンドルにはこの透光窓を通過した光で表示を行なう発光表示部を設けたことを特徴とする請求項１又は２記載のピアノハンドル式スイッチ。
【発明の詳細な説明】
【０００１】
【発明の属する技術分野】
本発明は、ピアノハンドルの押操作（ピアノタッチ操作）によって押釦スイッチの接点部の切り換えを行なうピアノハンドル式スイッチであって、接点部の切換状態を表示する機能を有するピアノハンドル式スイッチに関するものである。
【０００２】
【従来の技術】
従来から図２０に示すようなピアノハンドル式スイッチが知られている（例えば、特開平５−３２５７２５号公報参照）。このピアノハンドル式スイッチは、押釦ハンドル３２が押し込まれたときに、この押釦ハンドル３２の押し込み動作に伴って反転ハンドル３１を反転回動させ、この反転ハンドル３１の反転回動に応じて接点部１００の切り換えを行なうようにした押釦スイッチ５’と、押釦スイッチ５’の上部に取付けられ上記押釦ハンドル３２をピアノタッチ操作で押圧するピアノハンドル４３’とを備えたものである。そして、ピアノハンドル４３’のピアノタッチ操作により押釦スイッチ５’の接点部１００を切り換えるようにしている。ピアノハンドル４３’に、枢支端側の下面から一対の回動片４３ａ’を延設すると共に、押圧操作端側の下面から押釦スイッチ５’からの抜け止め用の一対の抜止片４３ｂ’を垂設してある。上記回動片４３ａ’はカバー５ａに形成された凹部５４に係合され、抜止片４３ｂ’が空所１２内に挿入され、抜止片４３ｂ’側の押圧操作端側を押圧すると、回動片４３ａ’側を支点として回動片４３ａ’を撓ませてピアノタッチ式に回動するようになっている。
【０００３】
一方、ピアノハンドル４３’の背面部には摺動凹所７６が設けてあり、この摺動凹所７６には接点部１００の切換状態を表示するための表示体７０’が摺動自在にはめ込んである。摺動凹所７６の略中央部には表示窓１１０が設けてある。表示体７０’の背面部にはガイド突部７０ａ’が突設してあり、ガイド突部７０ａ’の背面部には表示体７０’の摺動方向に傾斜した操作面７０ｂ’が形成してある。図中７７は押さえ板であって、ガイド突部７０ａ’の移動範囲を除いて摺動凹所７６を覆うようにしてピアノハンドル４３’の裏面に取付けられて表示体７０’が外れるのを防止するようになっている。この押さえ板７７はピアノハンドル４３’に設けた熱着ピン（図示せず）を押さえ板７７の熱着孔（図示せず）にはめ込み、熱着ピンを溶着して固着してある。そして、押さえ板７７には切欠部（図示せず）が形成してあり、ガイド突部７０ａ’がこの切欠部内を摺動するものである。
【０００４】
ピアノハンドル４３’及び押さえ板７７にはコイルばねはめ込み溝（図示せず）が設けてあり、コイルばね７８の一部がはめ込んであり、このコイルばね７８の端部が表示体７０’の摺動方向の一端部に設けたコイルばね嵌合突部（図示せず）に嵌合してあり、このことによりコイルばね７８のばね力で表示体７０’に一方方向に押圧されるばね力が付与してある。
【０００５】
一方、上記表示体７０’を摺動するための駆動片７１は反転ハンドル３１に一体に形成してあり、この駆動片７１は略Ｌ状をしていて、カバー５ｂの孔７３に挿入してある。
そして、図２０（ｂ）の状態では傾斜した操作面７０ｂ’の傾斜下端部付近に駆動片７１の上端部が位置している。この状態でピアノハンドル４３’を押圧操作すると反転ハンドル３１が回動して反転ハンドル３１に一体に設けた駆動片７１の上端部が上昇して傾斜した操作面７０ｂ’に押し当たることで表示体７０’は傾斜面７０ｂ’にガイドされて図中右方向に移動し、表示窓１１０に対向する表示体７０’の表面位置が変化していき、ピアノハンドル４３’を完全に押し下げて反転ハンドル３１が反転回動を完了して接点部１００が切り換えられた時点で同時に図２１（ｂ）に示すように駆動片７１の上端部が傾斜した操作面７０ｂ’の傾斜上端部に連続する立ち上がり面に係止してロックされる。このロック状態ではピアノハンドル４３’から手を離してもロック状態を維持しているものである。そして、この状態では表示体７０’の表面部の一部（図２１（ｂ）においては表示体７０’の表面部の左側半部）が表示窓１１０に対向するようになっている。この状態は可動接点２９が図中左側の固定接点２５ａに接触している状態を表示窓１１０から表示している状態である。
【０００６】
そして、更に、ピアノハンドル４３’を押圧操作すると、反転ハンドル３１が逆方向に反転回動し、これに伴って駆動片７１の先端が下方に下がり、ロック手段が解除され、駆動片７１が下降することで表示体７０’がコイルばね７８のばね力により図中左方向へ移動し、ピアノハンドル４３’の押圧を解除した時点で図２０（ｂ）の状態に戻るものであり、この状態では、図２０（ａ）のように可動接点２９が図中右側の固定接点２５ｂに接触し、また、表示体７０’の表面部の他の一部（図２０（ｂ）においては表示体７０’の表面部の右側半部）が表示窓１１０に対向する。この状態は図２０（ａ）に示すように可動接点２９が右側の固定接点２５ｂに接触している状態を表示窓１１０から表示している状態である。そして、このようにして表示体７０’により接点部１００の切換状態をそれぞれ表示するものであり、この場合、表示体７０’の表面の一側部に例えば「入」と表記すると共に他側部に「切」と表記するものであり、接点部１００の切り換えに応じて表示窓１１０から「入」が表示されたたり、あるいは、「切」が表示されたりするものである。
【０００７】
ところで、押釦スイッチ５’の器体は、合成樹脂製のボディ５ｂ’とカバー５ａ’とで形成されており、ＪＩＳ等において規格化されている既製の埋込型の配線器具の１個モジュール寸法に形成してある。そして、押釦スイッチ５’の表面側の部材であるカバー５ａ’には、既製の配線器具を埋設する場合に用いる取付枠２に着脱自在に取付可能とするために、両端面に一対の係止爪１１，１１がそれぞれ突設してあり、一方の係止爪１１の背部には空所１２を形成し、係止爪１１が背方へ弾性的に撓むようにしてある。したがって、既製の配線器具用の取付枠２に係止爪１１，１１を係止させて押釦スイッチ５’を着脱自在に取り付けることができ、既製の埋込型の配線器具と同様にして壁面などの造営面に埋設できるようにしてある。
【０００８】
ところで、既製の埋込型の配線器具の１個モジュール寸法となった押釦スイッチ５’を取付ける取付枠２は、一般に上記１個モジュール寸法の押釦スイッチ５’をその短幅方向が上下方向（取付枠２の長手方向を指す。以下同じ）に一致するように３個並べて取付けることができる３個モジュール寸法に対応した取付窓２ａを有するものであるが、図２２〜図２４に示すように、この３個モジュール寸法の取付枠２には上記１個モジュール寸法の押釦スイッチ５’を１個取り付ける場合、２個取り付ける場合、３個取り付ける場合がある。なお、各図中の１３０は取付枠２の前面にプレート（図示せず）を介して取り付けられる化粧プレートである。
【０００９】
ここで、取付枠２の取付窓２ａ両側の側片には、押釦スイッチ５’の係止爪１１，１１が係止される各一対の係止孔２ｂ，２ｂが計３組ずつ設けてあり、取付窓２ａに対する押釦スイッチ５’の３つの取付位置を上位置、中位置並びに下位置と称することにする。さらに、図２２に示すように３個モジュール寸法の取付枠２に１個モジュール寸法の押釦スイッチ５’を１個取り付ける場合において、押釦スイッチ５’に取り付けるピアノハンドル４３’を１個用のピアノハンドル４３’と称し、また、図２３に示すように３個モジュール寸法の取付枠２に１個モジュール寸法の押釦スイッチ５’を２個取り付ける場合において該２個の押釦スイッチ５’にそれぞれ取り付けるピアノハンドル４３’を２個用のピアノハンドル４３’と称し、また、図２４に示すように３個モジュール寸法の取付枠２に１個モジュール寸法の押釦スイッチ５’を３個取り付ける場合において該３個の押釦スイッチ５’にそれぞれ取り付けるピアノハンドル４３’を３個用のピアノハンドル４３’と称することにする。
【００１０】
上記種類のピアノハンドル４３’の上下方向の寸法は、（１個用のピアノハンドル４３’の上下長さ）＝（２個用のピアノハンドル４３’の上下長さ）×２＝（３個用のピアノハンドル４３’の上下長さ）×３となっている。また、３個用のピアノハンドル４３’の上下長さは操作性を良くするため押釦スイッチ５’よりも上下方向（押釦スイッチ５’の短幅方向）の長さを長くしてある。
【００１１】
【発明が解決しようとする課題】
ところが、２個用や３個用のピアノハンドル４３’、特に３個用のピアノハンドル４３’では、上中下の何れの位置の押釦スイッチ５’に取り付けるかによって押釦スイッチ５’の駆動片７１と表示体７０’の操作面７０ｂ’との相対的な位置関係が異なるので、各位置に対応して表示体７０’の取付位置が異なる上位置、中位置並びに下位置にそれぞれ専用のピアノハンドル４３’を用意する必要が生じる。しかも、各位置用のピアノハンドル４３’には互換性がなく、押釦スイッチ５’への取付及び取外しも指定された順番に従って行なわなければならない。このように従来の接点切換表示機能付きのピアノハンドル式スイッチでは、２個用や３個用のピアノハンドル４３’に取付位置に応じた専用のものを用いなければならず、コストアップを招くとともに施工が煩わしいという問題がある。
【００１２】
本発明は上記問題点の解決を目的とするものであり、取付枠が有する取付窓の上中下何れの取付位置の押釦スイッチにピアノハンドルを取り付けても接点切換表示が可能で、取付位置毎に専用のピアノハンドルを用意する必要がなく、省施工化が図れるピアノハンドル式スイッチを提供しようとするものである。
【００１３】
【課題を解決するための手段】
請求項１の発明は、上記目的を達成するために、前面に設けられた押釦ハンドルが後方へ押し込まれると押釦ハンドルの押し込み動作に伴って反転ハンドルを反転回動させ、反転ハンドルの反転回動に応じて接点部の切り換えを行なう押釦スイッチと、押釦スイッチの前面に一端部が回動自在に枢支され他端部を押操作することにより押釦ハンドルをピアノタッチ操作で押圧するピアノハンドルと、壁面のような造営面に配設され押釦スイッチが取り付けられる取付窓を有する取付枠とを備え、押釦スイッチの器体の短幅方向の寸法を取付枠の取付窓の長手方向寸法の略３分の１として取付窓の長手方向に沿った上中下の各取付位置に押釦スイッチを取付可能として成り、取付窓の長手方向に沿ってピアノハンドルに摺動自在に設けられて接点部の切換状態を表示する表示体と、表示体の摺動方向に沿って設けられそれぞれ押釦スイッチの前面と対向する背面側に表示体の摺動方向に沿って前後方向に傾斜した操作面を有する３つの操作片と、反転ハンドルに形成され反転ハンドルの一方向の回動に伴って前方へ移動する先端部で操作片の操作面に押圧力を付与して表示体を一方向に摺動するとともに反転ハンドルの他方向への回動に伴って先端部が後方へ移動する駆動片と、各操作片間に設けられ表示体が一方向に摺動した際に駆動片の先端部が係止されて表示体をロックするロック手段と、反転ハンドルの他方向の回動に伴って駆動片の先端部が後方へ移動することによりロック手段によるロックが解除された状態で表示体を他方向に摺動して初期位置に復帰させる復帰手段とを具備し、取付窓の上中下の各取付位置に取り付けられる３個の押釦スイッチに対し３個並べて取り付けたときに取付窓を覆うことのできる寸法であって上下方向の長さを押釦スイッチの上下方向の長さよりも長くした寸法にピアノハンドルが形成され、取付窓の上取付位置に取り付けられた押釦スイッチの駆動片の先端部が取付窓の上部に位置するピアノハンドルに設けられた表示体の３つの操作片のうちで取付窓の長手方向に沿った下側の操作片の操作面と対向し、取付窓の中取付位置に取り付けられた押釦スイッチの駆動片の先端部が取付窓の中央部に位置するピアノハンドルに設けられた表示体の３つの操作片のうちで取付窓の長手方向に沿った中央の操作片の操作面と対向し、取付窓の下取付位置に取り付けられた押釦スイッチの駆動片の先端部が取付窓の下部に位置するピアノハンドルに設けられた表示体の３つの操作片のうちで取付窓の長手方向に沿った上側の操作片の操作面と対向して成ることを特徴とし、取付枠が有する取付窓の上中下何れの取付位置に取り付けられた押釦スイッチに取り付けた場合でも、押釦スイッチとピアノハンドルとの位置関係に関わらずに押釦スイッチの反転ハンドルに形成された駆動片が表示体に設けられた複数の操作片の何れかの下面に当接して押圧力を付与することができ、共通のピアノハンドルを上中下何れの取付位置の押釦スイッチに取り付けても接点切換表示が可能となって取付位置毎に専用のピアノハンドルを用意する必要がなく、省施工化が図れる。
【００１６】
請求項２の発明は、請求項１の発明において、表示体の背面側に設けられる凹溝からなり、ピアノハンドルの押操作時に駆動片の先端部が入り込む逃がし部を表示体に設けて成ることを特徴とし、ピアノハンドルの押操作時に反転ハンドルの駆動片が表示体に衝突することを避けることができる。
請求項３の発明は、請求項１又は２の発明において、押釦スイッチの器体に押釦スイッチの位置又は接点部の切換状態を発光表示するための発光手段を納装するとともにこの発光手段の光をピアノハンドル側の前面から外部へ導くための透光窓を器体前面の長手方向における中央寄りに設け、ピアノハンドルにはこの透光窓を通過した光で表示を行なう発光表示部を設けたことを特徴とし、表示体による接点部の切換状態のみならず、光による切換状態の表示や押釦スイッチの位置表示が行なえ、利便性の向上が図れる。
【００１８】
【発明の実施の形態】
以下、図面を参照して本発明を実施形態により詳細に説明する。
まず、ピアノハンドル式スイッチの基本的構造を説明する。本発明のピアノハンドル式スイッチは、図１及び図２に示すように、押釦ハンドル３２の押圧操作により接点部の接点切換が行なわれる押釦スイッチ５と、この押釦スイッチ５の上面に一端部が回動自在に枢支され他端部を押圧して押釦ハンドル３２を押圧操作するピアノハンドル４３とからなる。
【００１９】
押釦スイッチ５の器体は、合成樹脂製のボディ５ｂとカバー５ａとで形成されており、この器体の短幅方向の寸法がＪＩＳ等において規格化されている既製の埋込型の配線器具用の取付枠２が有する取付窓２ａの長手方向寸法の略３分の１の寸法（この寸法を「１個モジュール寸法」と呼ぶ。）に形成してある。そして、押釦スイッチ５の表面側の部材であるカバー５ａには、取付枠２の取付窓２ａに着脱自在に取付可能とするために、両端面に一対の係止爪１１，１１を夫々突設してあり、一方の係止爪１１の背部には空所１２を形成し、係止爪１１が背方へ弾性的に撓むようにしてある。したがって、既製の配線器具用の取付枠２が具備する係止孔２ｂ，２ｂに係止爪１１，１１を係止させて押釦スイッチ５を着脱自在に取り付けることができ、既製の埋込型の配線器具と同様にして壁面などの造営面に埋設できるようにしてある。ボディ５ｂとカバー５ａの結合はカバー５ａより垂下した係止片３の係止孔４にボディ５ｂの側面に形成してある係止突起６を係止させることにより行なっており、係止時には係止片３の弾性と係止突起６の上端の傾斜面６ａを利用して簡単に係止ができるようになっている。
【００２０】
図６に示すように、この押釦スイッチ５のボディ５ｂ内の一端部に接続端子収納部１３を形成し、また、他端部に接続端子収納部１４を形成し、更に中央部に中央収納部２３を形成してある。ここで、一方の接続端子収納部１３には共通端子板１５と図示しない鎖錠ばね及び解除釦からなる速結端子が収納される。また、他方の接続端子収納部１４には端子板１８及び図示しない鎖錠ばねからなる第１の接続端子部と、端子板２０及び図示しない鎖錠ばねからなる第２の接続端子部とが収納され、これら第１，第２の接続端子部は図示しない解除釦で共通に解除できるようにしてある。
【００２１】
端子板１８には固定接点２５ａが固着された延設片１８ａを形成してあり、この延設片１８ａを中央収納部２３側に延出してある。また、端子板２０にも固定接点２５ｂが固着された折曲片２０ａを形成してあり、この折曲片２０ａは上記端子板１８の延設片１８ａに対向させる形で中央収納部２３側に延出してある。上記固定接点２５ａ，２５ｂの間には導電板からなる開閉体２４が回動自在に立設してある。この開閉体２４は、共通端子板１５から中央収納部２３に延出された支持片１５ａ上に立設され、両端下部に設けた図示しない突部を中央収納部２３の内側壁に形成されたＶ状凹部２７に嵌め込んで、Ｖ状凹部２７の下部を中心に回動自在となっている。そして、開閉体２４の上部両面に設けてある可動接点２９を回動に応じて固定接点２５ａ，２５ｂに接離して、共通接続端子部と、第１または第２の接続端子部との間を接続，切離を行う。
【００２２】
本実施形態においては上記のように固定接点２５ａ，２５ｂと可動接点２９とで接点部１００が構成してある。上記接点部１００の切り換えを行なうための開閉体２４は、図示しないコイルスプリング、反転ハンドル３１、押釦ハンドル３２、スライドカム３３、復帰ばね３７で構成された反転機構により反転駆動される。ここで、コイルスプリングは、下部が上記開閉体２４の上縁に係止され、上部が反転ハンドル３１に下方から突設してある筒部３１ａ内に収められ、反転ハンドル３１の回動に応じて開閉体２４を反転駆動するものである。
【００２３】
反転ハンドル３１は、両側に設けた逆三角形状の軸３１ｂをカバー５ｂの内壁に形成された図示しない軸受けに枢支して回動自在に取り付けられ、上部の両端にスライドカム３３に掛合する掛合突起３４を突設してある。押釦ハンドル３２はカバー５ｂに上下動自在に取り付けられ、下方に配置される復帰ばね３７により常時上方に付勢されている。スライドカム３３は両端下面に上記反転ハンドル３１の掛合突起３４に摺動係合する掛合カム体３８が形成され、押釦ハンドル３２の下面側において摺動自在に取り付けられ、内部に形成されたハ状の一対のばね片３３ａの間に押釦ハンドル３２の下面に形成している突起３２ａが挿入され、このばね片３３ａで復帰力を与えている。
【００２４】
図１に示すように、押釦スイッチ５の器体のカバー５ａの表面側端部には横向きとなった軸部１９２が所定間隔を開けて２つ一体突設してある。これらの軸部１９２は上部が横向きの略円柱形状をしている。
ピアノハンドル４３は、裏面部の一端部に下開口がはめ込み用開口部となった穴１９１ａと金属製の軸受用ばね体１９１ｂとで構成される軸受部１９１が設けてある。穴１９１ａは内壁の片側に係止穴１９０を設け、穴１９１ａに収納される軸受用ばね体１９１ｂの抜け止め爪１９１ｃを係止して軸受用ばね体１９１ｂを固持している。軸受用ばね体１９１ｂは先端を穴１９１ａ内へ突出するように曲げ形成し、この突出部１９１ｄと穴１９１ａとで軸部１９２を支持するようになっている。
【００２５】
下方に開口した穴１９１ａのはめ込み用開口部は上記突出部１９１ｄとで軸受部１９１の内部よりも幅狭としており、前述の押釦スイッチ５の上部に設けた軸部１９２を弾性的にはめ込んだ場合、軸部１９２と軸受部１９１との枢支結合が外れないようになっている。このように軸部１９２を軸受部１９１に回動自在に嵌め込むことでピアノハンドル４３を回動自在に軸支する軸支部が構成される。なお、ピアノハンドル４３の他端には背方に向けて抜け止め用の抜止片４３ｂを突設してある。抜止片４３ｂが空所１２内に挿入され、ピアノハンドル４３が回動しても抜止片４３ｂの先端が空所１２から抜けないようになっている。
【００２６】
上記のようにピアノハンドル４３が押釦スイッチ５に取付けられるのであるが、ピアノハンドル４３を押圧操作すると、軸受部１９１と軸部１９２との軸支部を中心にしてピアノハンドル４３がピアノタッチ式に回動する。そして、このピアノハンドル４３の回動により押釦スイッチ５の押釦ハンドル３２を押圧操作する。
【００２７】
次に、上記押釦スイッチ５の動作を簡単に説明する。図６の状態は固定接点２５ｂに可動接点２９が接している状態である。いま、図６の状態で、ピアノハンドル４３を操作したとすると、ピアノハンドル４３の操作に伴って押釦ハンドル３２が復帰ばね３７に抗して押し下げられ、押釦ハンドル３２の押し下げによりスライドカム３３が下降する。そして、スライドカム３３の図中右側の係合カム体３８が、反転ハンドル３１の右側の掛合突起３４に当たることにより、反転ハンドル３１が回動される。このとき、反転ハンドル３１の回動に伴ってスライドカム３３が図中の右側にスライドする。このようにして反転ハンドル３１が反転回動されると、図７に示すようにコイルスプリングが反転して開閉体２４が反転し、可動接点２９が固定接点２５ｂから離れて反対側の固定接点２５ａと接触して接点部１００が切り換えられる。この反転後、ピアノハンドル４３の押し下げ力を解除すると、復帰ばね３７で押釦ハンドル３２が押し上げられ、このときピアノハンドル４３が元の状態に戻る。そして、これと同時にスライドカム３３もばね片３３ａのばね力で中央部に摺動復帰する。このオフ状態から再びピアノハンドル４３を押し下げ操作すると、上記とは逆に反転ハンドル３１が回動して可動接点２９が固定接点２５ａから離れて固定接点２５ｂと接触し、図６に示す状態に戻って接点部１００が切り換えられる。
【００２８】
ここで、取付枠２の取付窓２ａ両側の側片には、押釦スイッチ５の係止爪１１，１１が係止される各一対の係止孔２ｂ，２ｂが計３組ずつ設けてあり、取付窓２ａに対して押釦スイッチ５の短幅方向を取付窓２ａの長手方向に一致させて取り付ける場合の３つの取付位置をそれぞれ上位置、中位置並びに下位置と称することにする。さらに、取付枠２に１個モジュール寸法の押釦スイッチ５を１個取り付ける場合において、押釦スイッチ５に取り付けるピアノハンドル４３を１個用のピアノハンドル４３と称し、また、３個モジュール寸法の取付枠２に１個モジュール寸法の押釦スイッチ５を２個取り付ける場合において該２個の押釦スイッチ５にそれぞれ取り付けるピアノハンドル４３を２個用のピアノハンドル４３と称し、また、３個モジュール寸法の取付枠２に１個モジュール寸法の押釦スイッチ５を３個取り付ける場合において該３個の押釦スイッチ５にそれぞれ取り付けるピアノハンドル４３を３個用のピアノハンドル４３と称することにする。
【００２９】
上記種類のピアノハンドル４３の上下方向（押釦スイッチ５の短幅方向）の寸法は、（１個用のピアノハンドル４３の上下長さ）＝（２個用のピアノハンドル４３の上下長さ）×２＝（３個用のピアノハンドル４３の上下長さ）×３となっている。また、３個用のピアノハンドル４３の上下長さは操作性を良くするため押釦スイッチ５よりも上下方向の長さを長くしてある。
【００３０】
図２には取付枠２の取付窓２ａの上中下の各取付位置（以下、それぞれを「上位置」、「中位置」及び「下位置」と呼ぶ。）に取り付けられた３個の押釦スイッチ５に各々３個用のピアノハンドル４３を取り付ける場合の例が示してある。ピアノハンドル４３の一端部の裏面部に設けられる軸受部１９１は、所定間隔の一対の軸部１９２に対応する所定間隔で４つ設けられ、その内の両側の二つの軸受部１９１に対応する軸受用ばね体１９１ｂは一体に連結されている。
【００３１】
そして、図２に示すように取付枠２の取付窓２ａに上下方向に３個の押釦スイッチ５を並べて取り付けた場合、中位置の押釦スイッチ５にピアノハンドル４３を取り付ける場合には中央の二つの軸受部１９１に中位置の押釦スイッチ５の二つの軸部１９２をはめ込んで取り付けるものであり、このことにより中位置の押釦スイッチ５のセンタと該中位置の押釦スイッチ５に取り付けるピアノハンドル４３のセンタとが一致するように取り付けられる。また、上位置の押釦スイッチ５にピアノハンドル４３を取り付ける場合には下側の二つの軸受部１９１に上位置の押釦スイッチ５の軸部１９２，１９２をはめ込んで取り付けるものであり、このことにより上位置の押釦スイッチ５のセンタよりも上位置の押釦スイッチ５に取り付けるピアノハンドル４３のセンタが上にずれて位置するように取り付けられる。また、下位置の押釦スイッチ５にピアノハンドル４３を取り付ける場合には上側の二つの軸受部１９１，１９１に下位置の押釦スイッチ５の軸部１９２，１９２を嵌め込んで取り付けるものであり、このことにより下位置の押釦スイッチ５のセンタよりも下位置の押釦スイッチ５に取り付けるピアノハンドル４３のセンタが下にずれて位置するように取り付けられる。このようにすることで、３個用のピアノハンドル４３として上位置用、中位置用、下位置用の区別なく共通して使用することができるものである。
【００３２】
ここで取付枠２の上下両側片には壁などに埋込配設された埋込ボックス（図示せず）に取り付けるためのボックスねじを挿通する長孔２ｃと、取付枠２を壁面等の造営面に直付けするためのねじが挿通されるねじ挿通孔２ｄと、造営面を形成する壁パネル等に取り付ける際に使用するはさみ金具（図示せず）を係止するはさみ金具係止孔２ｅと、プレート１２０を取り付ける取付ねじ１２３用の取付ねじ孔２ｆとが設けてある。
【００３３】
取付ねじ１２３，１２３によって取付枠２の前面に取り付けられるプレート１２０は、合成樹脂により矩形枠状に形成され、上下両側片に上記取付ねじが挿通されるねじ挿通孔１２１，１２１が設けてある。また、プレート１２０の四隅には化粧プレート１３０の係止片（図示せず）が挿入係止される係止部１２２が各々一対ずつ設けてある。
【００３４】
化粧プレート１３０は合成樹脂により矩形枠状に形成されており、四隅の背面側に突設された上記係止片をプレート１２０の上記係止部１２２に着脱自在に挿入係止することでプレート１２０の前面に着脱自在に取り付けられる。
ところで、上述のように３個用のピアノハンドル４３は取り付けられる押釦スイッチ５の取付位置が上位置及び下位置の場合に、それぞれセンタが上下にずれて位置するように取り付けられるので、接点部１００の切換状態を表示する表示部の構造が従来例と同じであると表示体７０’の操作面７０ｂ’と押釦スイッチ５の駆動片７１との位置関係もずれてしまい、駆動片７１により表示体７０’を駆動すること、つまり接点部１００の切換表示ができない。
【００３５】
そこで、次に上記３個用のピアノハンドル４３が上中下の何れの取付位置の押釦スイッチ５に取り付けられた場合でも表示体７０による接点部１００の切換表示を可能とする、本発明の特徴である表示部の構造について説明する。
本実施形態における表示体７０は、図１及び図５に示すように、合成樹脂製であって矩形板状の主部７０ａの背面側に表示体７０の摺動方向に傾斜する操作面７０ｃを有する略三角形状の操作片７０ｂが主部７０ａの摺動方向（長手方向）に沿って３つ列設されるとともに、後述するコイルばね７８が嵌合するコイルばね嵌合突部７０ｄが主部７０ａの摺動方向の一端部より突設してある。なお、主部７０ａの前面側には「入」、「切」のように接点部１００の切換状態に応じた負荷（照明器具や空調機器など）の動作状態を示す文字が記された動作表示シート７２が貼着される。また、各操作片７０ｂの間には凹溝から成る逃がし部７０ｅが形成されている。
そして、上記のように構成された表示体７０は、図６に示すようにピアノハンドル４３の背面部に設けられた摺動凹所７６に摺動自在に嵌め込んである。摺動凹所７６の略中央部には表示窓７６ａが設けてあり、この表示窓７６ａを通して上記動作表示シート７２の文字が外部より見えるようになっている。また、図中７７は押さえ板であって、操作片７０ｂの移動範囲を除いて摺動凹所７６を覆うようにしてピアノハンドル４３の裏面に取り付けられて表示体７０が外れるのを防止するようになっている。この押さえ板７７はピアノハンドル４３に設けた熱着ピン（図示せず）を押さえ板７７の熱着孔１０８にはめ込み、熱着ピンを溶着して固着してある。そして、押さえ板７７には切欠部７７ａが形成してあり、３つの操作片７０ｂがこの切欠部７７ａ内を摺動するものである。摺動凹所７６内にはコイルばね嵌め込み溝（図示せず）が設けてあって、この溝にコイルばね７８の一部が嵌め込んであり、コイルばね７８の端部が表示体７０のコイルばね嵌合突部７０ｄに嵌合してあり、このことによりコイルばね７８のばね力で表示体７０に一方向に押圧されるばね力が付与してあり、これが表示体７０の復帰手段を構成している。一方、上記表示体７０を摺動するための駆動片７１は反転ハンドル３１に一体に形成してあり、この駆動片７１は略Ｌ状をしていて、カバー５ｂの孔７３に挿入してある。
【００３６】
図６（ｂ）及び図７（ｂ）に上記表示体７０の駆動状態を示す。図６（ｂ）の状態では操作片７０ｂ（例えば、中央の操作片７０ｂ）の傾斜した操作面７０ｃの傾斜下端部付近に駆動片７１の上端部が位置している。この状態でピアノハンドル４３を押圧操作すると反転ハンドル３１が回動して反転ハンドル３１に一体に設けた駆動片７１の上端部が上昇して傾斜した操作面７０ｃに押し当たることで表示体７０は操作面７０ｃにガイドされて図中右方向へ移動し、表示窓７６ａに対向する表示体７０の表面位置が変化していき、ピアノハンドル４３を完全に押し下げて反転ハンドル３１が反転回動を完了して接点部１００の切換を行った時点で同時に図７（ｂ）に示すように駆動片７１の上端部が隣の操作片７０ｂとの間に設けられている逃がし部７０ｅに係止してロックされ、これがロック手段を兼ねている。このロック状態ではピアノハンドル４３から手を離してもロック状態を維持しているものである。そして、この状態では表示体７０の表面部の一部（図７（ｂ）においては表示体７０の表面部の左側半部）が表示窓７６ａに対向するようになっている。この状態は図７（ａ）に示すように可動接点２９が左側の固定接点２５ａに接触している状態を表示窓７６ａから表示している状態である。
【００３７】
そして、更に、ピアノハンドル４３を押圧操作すると、反転ハンドル３１が逆方向に反転回動し、これに伴って駆動片７１の先端が下方に下がり、ロック手段が解除され、駆動片７１が下降することで表示体７０がコイルばね７８のばね力により復帰し、ピアノハンドル４３の押圧を解除した時点で図６（ｂ）の状態に戻るものであり、この状態では、図６（ａ）のように可動接点２９が右側の固定接点２５ｂに接触し、また、表示体７０の表面部の他の一部（図６（ｂ）においては表示体７０の表面部の右側半部）が表示窓７６ａに対向する。この状態は図６（ａ）に示すように可動接点２９が右側の固定接点２５ｂに接触している状態を表示窓７６ａから表示している状態である。そして、このようにして表示体７０により接点部１００の切換状態（本実施形態の場合であれば「入」及び「切」の状態）をそれぞれ表示するものである。なお、表示体７０には駆動片７１の先端部を逃がすための逃がし部７０ｅが設けてあるので、図８（ａ）に示すようにピアノハンドル４３を最も押し下げたときに駆動片７１の先端が表示体７０などの他の部品に衝突することを避けることができる（但し、同図（ｂ）はピアノハンドル４３の押圧力を解除した状態を示す。）。
【００３８】
上述の動作説明は取付枠２の中位置に取り付けられた押釦スイッチ５とピアノハンドル４３の組み合わせについてのものである。すなわち、取付枠２の上下位置に取り付けられた押釦スイッチ５，５とピアノハンドル４３との組み合わせにおいては、図３に示すように上位置の押釦スイッチ５の駆動片７１が表示体７０の下側の操作片７０ｂと対向し、下位置の押釦スイッチ５の駆動片７１が表示体７０の上側の操作片７０ｂと対向している。そして、上下何れの位置の押釦スイッチ５に取り付けられたピアノハンドル４３を押圧操作した場合にも、上述の動作と同様に駆動片７１の先端がそれぞれ対向する操作片７０ｂの操作面７０ｃにガイドされながら表示体７０を移動させることができる。このように駆動片７１をガイドする操作面７０ｃを備えた操作片７０ｂを表示体７０の背面側に３つ列設することにより、ピアノハンドル４３が上中下の何れの取付位置に取り付けられた場合にも表示体７０による接点部１００の切換表示を行なうことができ、接点部１００の切換表示機能を有する３個用のピアノハンドル４３として上位置用、中位置用又は下位置用の区別なく共通して使用することができるものである。
【００３９】
ところで上記実施形態においては、表示体７０がピアノハンドル４３の操作支点側の側端部に片寄って位置し且つ該側端の端縁に沿って摺動自在となっている。このような構成とすると、ピアノハンドル４３の側端部を接点切換を表示するための表示部分とでき、中央部を他の表示部分として例えばネームカード２５０などによる表示部分として利用できる。例えば、図１は３個用のピアノハンドル４３にネームカード２５０を取り付ける例を示している。すなわち、ピアノハンドル４３の表面側に凹平面２５１を設け、該凹平面２５１の底にプレート出し入れ用の窓２５２を設け、この窓２５２にはピアノハンドル４３の裏面側から開閉自在に枢支された扉２５４を設けてあり、また凹平面２５２には少なくも窓２５２に対応して配置されるネームカード２５０が見えるように中央部２５３ａが透明なネームカバー２５３が被着されている。
【００４０】
ここでネームカバー２５３は両側にそれぞれ先端に向けて細くなっている一対の突起２５５を突設し、これに対応するようにピアノハンドル４３の窓２５２の両側に突起２５５を圧入するための圧入用孔２５６を穿設しており、突起２５５を圧入用孔２５６に圧入してネームカバー２５３をピアノハンドル４３に固定するのである。
【００４１】
窓２５２に枢支する扉２５４は、一端の両側に軸体２６４ａ、２６４ａを突設し、この軸体２６４ａ，２６４ａを窓２５２の一端部の両側に凹平面２５１側に開口した軸受部２６５ｂ，２６５ｂに回動自在に嵌め込んで軸体２６４ａ，２６４ａを中心に窓２５２を開閉できるようになっている。この場合ネームカバー２５３が上述のように固定されることにより軸受部２６５ｂ，２６５ｂに嵌まった軸体２６４ａ，２６４ａは脱落しないようになっている。
【００４２】
そして扉２５４の他端部の両側には突起２６６が設けられ、この突起２６６は窓２５２の他端部の両側に形成した係合部２６７に圧入係合して閉じた状態を保持するようになっている。
而してネームカード２５０を収納する場合には扉２５４をピアノハンドル４３の裏面側から開いて、ネームカード２５３を窓２５２に嵌めてネームカバー２５３の裏面に載せ、この状態で扉２５を閉じれば扉２５４とネームカバー２５３との間に挟持され、ネームカバー２５３の中央部２５３ａより表側からネームカバー２５３の文字、数字、記号が視認できることとなる。
【００４３】
ところで本実施形態では、負荷への給電状態（動作状態）を発光表示するための発光手段たる発光ダイオード１０６を備え、第１の端子板２０と開閉体２４を支持するための支持片１５ａとの間に１次側を挿入した電流トランス８３の２次側に発光ダイオード１０６とダイオード（図示せず）を逆並列に接続してある。なお、電流トランス８３はボディ５ｂの中央収納部２３の下側に形成される収納部８４内に落とし込まれて収納され、リード線８６によって上記各部と電気的に接続される。そして、押釦スイッチ５の接点部１００の切換状態に応じて負荷に給電されると、このときの負荷電流を電流トランス８３にて検出し、その検出電流で発光ダイオード１０６を点灯させるのである。なお、接点部１００の切換状態に応じて点灯し押釦スイッチ５（ピアノハンドル４３）の位置を表示するための位置表示灯たるネオンランプを押釦スイッチ５の器体に内蔵することも可能である。
【００４４】
発光ダイオード１０６からの光を外部に出すための光透過性樹脂カバーが被着された透光窓１０１が押釦スイッチ５のカバー５ａの軸部１９２，１９２間に設けられ、ピアノハンドル４３には透光窓１０１からの光が導光されて発光表示を行なう発光表示部１１３が設けてある。なお、本実施形態では透光窓１０１がカバー５ａの中央寄りに設けてあるので、発光ダイオード１０６のほぼ真上に位置することとなって外部に出る光量をアップさせることができる。
【００４５】
ここで、上記３個用のピアノハンドル４３を用いたものにおいて、発光ダイオード１０６の光を上記透光窓１０１を通してピアノハンドル４３に設けた発光表示部１１３に導光して発光表示するに当たって、３個用のピアノハンドル４３には発光ダイオード１０６の光を発光表示部１１３に導光するためのプリズム２００が設けてある。
【００４６】
本実施形態においては、プリズム２００は出射面２０１が三角波状をした凹凸形状となっている。凹凸形状となった出射面２０１の背方側から上下両側方に向けて側方突出プリズム部２０７が設けてあり、この側方突出プリズム２０７部は背面部に上位置の押釦スイッチ５又は下位置の押釦スイッチ５からの光を入射する入射面２０３を設け、入射面２０３から内部に入った光を側方突出プリズム２０７部内の第１の反射面と、第２の反射面で反射させて出射面２０１から出射させようになっている。また凹凸形状の出射面２０１の背方には中位置の押釦スイッチ５の発光表示部１１３からの光が入射する凹部からなる入射面２０２を設けてあり、この入射面２０２の凹部の両側内壁面が傾斜して出射面２０１の背方に一端が至って非対称となっており、その傾斜面がプリズム２００内に導光された光の第２の反射面となっている。
【００４７】
上記の構成のプリズム２００は３個用のピアノハンドル４３の背面側に出射面２０１が３個用のピアノハンドル４３に設けた発光表示部１１３に対向するように熱着等により取り付けてある。ここで、本実施形態の発光表示部１１３は光透過性樹脂により形成され、ピアノハンドル４３の摺動凹所７６内に裏面から表面に開口し、プリズム２００の出射面２０１部位を臨ませた開口孔４４並びに上述の表示窓７６ａにピアノハンドル４３の表面側から被着されているもので、中央部には表示窓７６ａに対向する透明部１１３ａを形成するとともに、端部にはレンズ部１１３ｂを形成し、そのレンズ部１１３ｂの裏面に傾きを持たせ、プリズム２００の非対称の第２の反射面２０３と併せて上向き方向の視野角を上げて見や易くしてある。
【００４８】
しかして、中位置の押釦スイッチ５に取り付けた３個用のピアノハンドル４３においては入射面２０２が中位置の押釦スイッチ５の透光窓１０１に対向し、また、上位置の押釦スイッチ５に取り付けられた３個用のピアノハンドル４３においては下側の側方突出プリズム部２０７の入射面２０３が上位置の押釦スイッチ５の透光窓１０１に対向し、また、下位置の押釦スイッチ５に取り付けられた３個用のピアノハンドル４３においては上側の側方突出プリズム部２０７の入射面２０３が下位置の押釦スイッチ５の透光窓１０１に対向するものである。
【００４９】
そして、上位置あるいは下位置の押釦スイッチ５の透光窓１０１から出射された光は、入射面２０３から側方プリズム部２０７に入射し、側方突出プリズム部２０７内で反射して凹凸形状の出射面２０１から発光表示部１１３に向けて出射するのである。また、中位置の押釦スイッチ５の透光窓１０１から発光された光は、入射面２０２から入射し、凹凸形状の出射面２０１から発光表示部１１３に向けて出射するのである。この場合、出射面２０１を三角波状の凹凸形状とすることで、出射面２０１から出射する光の出射を偏りを無くしてほぼ同じ方向にすることができる。
【００５０】
図９及び図１０には取付枠２の取付窓２ａの上位置及び下位置に取り付けられた２個の押釦スイッチ５に各々２個用のピアノハンドル４３を取り付ける場合の例が示してあり、同じく図１１〜図１４には取付枠２の取付窓２ａの中位置に取り付けられた１個の押釦スイッチ５に１個用のピアノハンドル４３を取り付ける場合の例が示してある。何れもピアノハンドル４３の一端部の裏面部に設けられる軸受部１９１は、所定間隔の一対の軸部１９２に対応する所定間隔で２つ設けられている。
【００５１】
そして、取付枠２の上下位置に２個の押釦スイッチ５，５を取り付けた場合、上位置及び下位置の両押釦スイッチ５，５にそれぞれピアノハンドル４３，４３を取り付ける場合には２つの軸受部１９１に押釦スイッチ５の２つの軸部１９２を嵌め込んで取り付けるものであり、このことにより上下位置の各押釦スイッチ５のセンタと各押釦スイッチ５，５に取り付けるピアノハンドル４３，４３のセンタとが一致するように取り付けられる。その結果、２個用のピアノハンドル４３においても上位置用と下位置用の区別なく共通して同じものが使用できる。なお、表示部の構造は上述の３個用のピアノハンドル４３の場合と全く共通するので説明は省略する。ここで、２個用のピアノハンドル４３の場合には、そのセンタが上位置又は下位置の何れであっても押釦スイッチ５，５のセンタと一致するので、表示体７０の３つある操作片７０ｂのうち何れも中央の操作片７０ｂに駆動片７１が対向することになる。
【００５２】
また１個用のピアノハンドル４３の場合も表示部の構造は上述の３個用又は２個用のピアノハンドル４３の場合と全く共通するので説明は省略するが、１個用のピアノハンドル４３の場合にも、そのセンタが押釦スイッチ５のセンタと一致するので、表示体７０の３つある操作片７０ｂのうち中央の操作片７０ｂに駆動片７１が対向することになる。
【００５３】
このように２個用又は３個用のピアノハンドル４３の場合では３つある操作片７０ｂの中央の操作片７０ｂのみしか使用しないが、それぞれ３個用のピアノハンドル４３と表示部の構造を同じにすることで表示体７０や押さえ板７７などの部品を共通化でき、部品点数の削減によるコストダウンが図れる。
ところで上述の実施形態における取付枠２は取付窓２ａに１個モジュール寸法の押釦スイッチ５が３個まで並べて取り付けることのできる寸法（３個モジュール寸法）のものであったが、図１５〜図１９に示すように取付窓１４０ａに１個モジュール寸法の押釦スイッチ５が１個だけ取り付けることのできる取付枠１４０が用いられる場合がある。
【００５４】
この取付枠１４０は、図１７に示すように１個モジュール寸法の押釦スイッチ５が取り付けられる取付窓１４０ａを有し、上下両側片には壁などに埋込配設された埋込ボックス（図示せず）に取り付けるためのボックスねじを挿通する長孔１４１と、取付枠１４０を壁面等の造営面に直付けするためのねじが挿通されるねじ挿通孔１４２と、造営面を形成する壁パネル等に取り付ける際に使用するはさみ金具（図示せず）を係止するはさみ金具係止孔１４３と、プレート１５０を取り付ける取付ねじ用の取付ねじ孔１４４とが設けてある。
【００５５】
一方、取付窓１４０ａの左右両側にある側片には各々一対の係止孔１４０ｂ，１４０ｂが設けてあり、図１６に示すように押釦スイッチ５の係止爪１１，１１を係止して取付窓１４０ａに押釦スイッチ５が着脱自在に取り付けることができるようになっている。
取付ねじ（図示せず）によって取付枠１４０の前面に取り付けられるプレート１５０は、図１８に示すように合成樹脂により矩形枠状に形成され、上下両側片に上記取付ねじが挿通されるねじ挿通孔１５１が設けてある。また、プレート１５０の左右両側片には化粧プレート１６０の係止片１６１が挿入係止される係止部１５２が各々一対ずつ設けてある。
【００５６】
化粧プレート１６０は、図１９に示すように合成樹脂により矩形枠状に形成されており、左右両側片の背面側に突設された係止片１６１をプレート１５０の上記係止部１５２に着脱自在に挿入係止することでプレート１５０の前面に着脱自在に取り付けられる。
ところで上記取付枠１４０、プレート１５０並びに化粧プレート１６０を用いて壁面などの造営面に押釦スイッチ５を埋込配設する場合には、図１５に示すように上述した２個用のピアノハンドル４３を押釦スイッチ５に取り付けることができるように、プレート１５０及び化粧プレート１６０の各開口部１５０ａ，１６０ａの寸法を２個用のピアノハンドル４３の寸法よりも若干大きくなる程度にしてある。従来では上記取付枠１４０を使用する場合には専用のピアノハンドルが必要であったが、上記構成を採用することで３個モジュール寸法の取付枠２で用いる２個用のピアノハンドル４３が共通に使用することができる。その結果、専用のピアノハンドルが不要となってコストダウンが図れるとともに、１個モジュール寸法の上記取付枠１４０を用いる場合にピアノハンドル４３が容易に調達可能となり、しかも３個モジュール寸法の取付枠２とピアノハンドル４３を共通使用できるために１個モジュール寸法の取付枠１４０に取付可能な押釦スイッチの品種増加が容易に行なえるという利点がある。
【００５７】
【発明の効果】
請求項１の発明は、前面に設けられた押釦ハンドルが後方へ押し込まれると押釦ハンドルの押し込み動作に伴って反転ハンドルを反転回動させ、反転ハンドルの反転回動に応じて接点部の切り換えを行なう押釦スイッチと、押釦スイッチの前面に一端部が回動自在に枢支され他端部を押操作することにより押釦ハンドルをピアノタッチ操作で押圧するピアノハンドルと、壁面のような造営面に配設され押釦スイッチが取り付けられる取付窓を有する取付枠とを備え、押釦スイッチの器体の短幅方向の寸法を取付枠の取付窓の長手方向寸法の略３分の１として取付窓の長手方向に沿った上中下の各取付位置に押釦スイッチを取付可能として成り、取付窓の長手方向に沿ってピアノハンドルに摺動自在に設けられて接点部の切換状態を表示する表示体と、表示体の摺動方向に沿って設けられそれぞれ押釦スイッチの前面と対向する背面側に表示体の摺動方向に沿って前後方向に傾斜した操作面を有する３つの操作片と、反転ハンドルに形成され反転ハンドルの一方向の回動に伴って前方へ移動する先端部で操作片の操作面に押圧力を付与して表示体を一方向に摺動するとともに反転ハンドルの他方向への回動に伴って先端部が後方へ移動する駆動片と、各操作片間に設けられ表示体が一方向に摺動した際に駆動片の先端部が係止されて表示体をロックするロック手段と、反転ハンドルの他方向の回動に伴って駆動片の先端部が後方へ移動することによりロック手段によるロックが解除された状態で表示体を他方向に摺動して初期位置に復帰させる復帰手段とを具備し、取付窓の上中下の各取付位置に取り付けられる３個の押釦スイッチに対し３個並べて取り付けたときに取付窓を覆うことのできる寸法であって上下方向の長さを押釦スイッチの上下方向の長さよりも長くした寸法にピアノハンドルが形成され、取付窓の上取付位置に取り付けられた押釦スイッチの駆動片の先端部が取付窓の上部に位置するピアノハンドルに設けられた表示体の３つの操作片のうちで取付窓の長手方向に沿った下側の操作片の操作面と対向し、取付窓の中取付位置に取り付けられた押釦スイッチの駆動片の先端部が取付窓の中央部に位置するピアノハンドルに設けられた表示体の３つの操作片のうちで取付窓の長手方向に沿った中央の操作片の操作面と対向し、取付窓の下取付位置に取り付けられた押釦スイッチの駆動片の先端部が取付窓の下部に位置するピアノハンドルに設けられた表示体の３つの操作片のうちで取付窓の長手方向に沿った上側の操作片の操作面と対向して成るので、取付枠が有する取付窓の上中下何れの取付位置に取り付けられた押釦スイッチに取り付けた場合でも、押釦スイッチとピアノハンドルとの位置関係に関わらずに押釦スイッチの反転ハンドルに形成された駆動片が表示体に設けられた複数の操作片の何れかの下面に当接して押圧力を付与することができ、共通のピアノハンドルを上中下何れの取付位置の押釦スイッチに取り付けても接点切換表示が可能となって取付位置毎に専用のピアノハンドルを用意する必要がなく、省施工化が図れるという効果がある。
【００６０】
請求項２の発明は、表示体の背面側に設けられる凹溝からなり、ピアノハンドルの押操作時に駆動片の先端部が入り込む逃がし部を表示体に設けて成るので、ピアノハンドルの押操作時に反転ハンドルの駆動片が表示体に衝突することを避けることができるという効果がある。
請求項３の発明は、押釦スイッチの器体に押釦スイッチの位置又は接点部の切換状態を発光表示するための発光手段を納装するとともにこの発光手段の光をピアノハンドル側の前面から外部へ導くための透光窓を器体前面の長手方向における中央寄りに設け、ピアノハンドルにはこの透光窓を通過した光で表示を行なう発光表示部を設けたので、表示体による接点部の切換状態のみならず、光による切換状態の表示や押釦スイッチの位置表示が行なえ、利便性の向上が図れるという効果がある。
【図面の簡単な説明】
【図１】実施形態における押釦スイッチと３個用のピアノハンドルを示す分解斜視図である。
【図２】同上における押釦スイッチ、３個用のピアノハンドル、取付枠、プレート並びに化粧プレートの分解斜視図である。
【図３】同上の側面図である。
【図４】同上における反転ハンドルを示し、（ａ）は平面図、（ｂ）は正面図、（ｃ）は側面図である。
【図５】同上における表示体を示し、（ａ）は正面図、（ｂ）は側面図、（ｃ）は背面図、（ｄ）は側面断面図である。
【図６】（ａ）は同上のピアノハンドル式スイッチにおいて可動接点が一方の固定接点に接触している状態の断面図であり、（ｂ）は駆動片と表示体との関係を示す断面図である。
【図７】（ａ）は同上のピアノハンドル式スイッチにおいて可動接点が他方の固定接点に接触している状態の断面図であり、（ｂ）は駆動片と表示体との関係を示す断面図である。
【図８】（ａ）は同上のピアノハンドル式スイッチにおいてピアノハンドルを押し切った状態の一部省略した断面図であり、（ｂ）はピアノハンドルの押圧力を解除した状態の一部省略した断面図である。
【図９】同上における押釦スイッチと２個用のピアノハンドルを示す分解斜視図である。
【図１０】同上における押釦スイッチ、２個用のピアノハンドル、取付枠、プレート並びに化粧プレートの分解斜視図である。
【図１１】同上における押釦スイッチと１個用のピアノハンドルを示す分解斜視図である。
【図１２】同上における押釦スイッチ、１個用のピアノハンドル、取付枠、プレート並びに化粧プレートの分解斜視図である。
【図１３】同上における１個用のピアノハンドルを示し、（ａ）は正面図、（ｂ）は側面図、（ｃ）は背面図である。
【図１４】同上における１個用のピアノハンドルを示す側面断面図である。
【図１５】１個モジュール寸法の取付枠に押釦スイッチと２個用のピアノハンドルとを取り付けた実施形態を示す正面図である。
【図１６】１個モジュール寸法の取付枠に押釦スイッチを取り付けた状態の正面図である。
【図１７】１個モジュール寸法の取付枠を示し、（ａ）は正面図、（ｂ）は左側面図、（ｃ）は右側面断面図、（ｄ）は背面図、（ｅ）は一部破断した下側面図である。
【図１８】１個モジュール寸法の取付枠に取り付けられるプレートを示し、（ａ）は正面図、（ｂ）は側面断面図、（ｃ）は背面図、（ｄ）は一部破断した下側面図である。
【図１９】１個モジュール寸法の取付枠に取り付けられる化粧プレートを示し、（ａ）は正面図、（ｂ）は側面断面図、（ｃ）は背面図、（ｄ）は一部破断した上側面図である。
【図２０】（ａ）は従来のピアノハンドル式スイッチにおいて可動接点が一方の固定接点に接触している状態の断面図であり、（ｂ）は駆動片と表示体との関係を示す断面図である。
【図２１】（ａ）は同上のピアノハンドル式スイッチにおいて可動接点が他方の固定接点に接触している状態の断面図であり、（ｂ）は駆動片と表示体との関係を示す断面図である。
【図２２】同上の押釦スイッチが１個の場合の１個用のピアノハンドルと押釦スイッチの分解平面図である。
【図２３】同上の押釦スイッチが２個の場合の２個用のピアノハンドルと押釦スイッチの分解平面図である。
【図２４】同上の押釦スイッチが３個の場合の３個用のピアノハンドルと押釦スイッチの分解平面図である。
【符号の説明】
５  押釦スイッチ
４３  ピアノハンドル
７０  表示体
７０ｂ  操作片
７０ｃ  操作面
７１  駆動片
７７  押さえ板
７８  コイルばね
【図１】
0003567699.tif 000002
【図２】
0003567699.tif 000003
【図３】
0003567699.tif 000004
【図４】
0003567699.tif 000005
【図５】
0003567699.tif 000006
【図６】
0003567699.tif 000007
【図７】
0003567699.tif 000008
【図８】
0003567699.tif 000009
【図９】
0003567699.tif 000010
【図１０】
0003567699.tif 000011
【図１１】
0003567699.tif 000012
【図１２】
0003567699.tif 000013
【図１３】
0003567699.tif 000014
【図１４】
0003567699.tif 000015
【図１５】
0003567699.tif 000016
【図１６】
0003567699.tif 000017
【図１７】
0003567699.tif 000018
【図１８】
0003567699.tif 000019
【図１９】
0003567699.tif 000020
【図２０】
0003567699.tif 000021
【図２１】
0003567699.tif 000022
【図２２】
0003567699.tif 000023
【図２３】
0003567699.tif 000024
【図２４】
0003567699.tif 000025